(57)【要約】【課題】  診療室排水障害区域のバリアフリー化を行う排水処理系配管の改良。【解決手段】  治療ユニット８からの治療排液を、うがい液ととも集める排水分離器１において、排液を気液分離した後に液排出弁１ｃの開作動制御によって、分離器の排水吐出管９から機械的接触無しに排水を受け入れる排水タンク４に貯留し、タンクにはポンプ５を内設し、逆勾配区域１Ｂにはフレキシブルチューブを含む曲部形成配管材６を配管接続して、タンク貯留液をその液位制御により作動するポンプが既設排水管３まで排液を圧送する強制排水ルートを構成した。【選択図】図１
0003121663.tif 000002
【実用新案登録請求の範囲】
【請求項１】
逆勾配区域（１Ｂ）が介在する排水ルート上に位置する治療ユニット（８）に対して、それに配管接続する排水分離器（１）と、分離済み落下排液を受け入れ、その下方に別設する排水タンク（４）とを配設し、排水分離器（１）は、治療ユニット（８）が治療時に排出する処理液を、うがい液とともに受け入れ、空気輸送時に混在する加圧空気やバキュームエアの空気分から排液を分離し、分離済み処理液は排出制御操作によって一時貯留後に、液排出弁（１ｃ）を介して排水吐出管（９）から前記排水タンクへ排出させ、排水タンク（４）は、その液面上方空間に常置させた前記排水吐出管管端から分離済み処理液を受け入れ、その処理液は、排水タンク（４）底部に配置し、その貯留液位（Ｌ１、Ｌ２）に対応してＯＮ−ＯＦＦ運転制御操作を行う水中ポンプ（５）を内設した上で、該水中ポンプの吐出側排水配管を屋外排水管（３）に通じる排水ルートに接続し、該排水ルートに介在する逆勾配区域（１Ｂ）にはフレキシブルチューブを含む曲部形成配管材（６）を挿設、配管して構成し、逆勾配区域（１Ｂ）にかかる排水を、水中ポンプ（５）の吐出圧により強制移送することを特徴とする歯科診療室用バリアフリー化排水配管装置。
【考案の詳細な説明】
【技術分野】
【０００１】  本考案は、歯科用チェアユニットから出る排液の排水技術に係り、特に建物建造時に排水処理の設計対象外であった室内に、歯科診療室を開設するに当たり、診療予定区域に逆勾配区域や出入口障害物などが介在して排水配管ができない問題点を解決し、あるいは問題解決のために設けられる配管収納用の二重床を基本的に不要化して、歯科診療室内に歩行障害の生じないバリアフリー化を計る排水配管装置に関するものである。
【背景技術】
【０００２】  歯科診療室からは、うがい液排出のほか、治療処置時にバキュームエアや加圧空気などの介在空気を用いるために、空気、処置時発生液、歯垢など、気液固が混在した一様でない排液が出る。その治療排液は、空気輸送が出来るので、図２に示すように、、歯科診療室外の他室に設置する機械室に排水分離器１を配設し、歯科用チェアユニット８（以下、治療ユニットという）を排水発生元とし、前記介在空気と共にそこから排水分離器１に導水し、この貯留中に、空気分は真空ポンプにより分離、回収され、排液分は該排水分離器内に溜められ、器内内設の液位計１ａが貯留排液の設定上位液位を検知すると、制御器１ｂが作動して液排出弁１ｃ開を動作し、既設排水管７へ排水、さらに配管接続する敷設排水管３へと排水される。排水継続によって排水分離器１の液位計１ａが設定下位液位を検知すると、制御器１ｂが液排出弁１ｃを閉動作して、排水操作は終了する。これらの貯留、排水の交互制御操作は排水分離器１により繰り返される。一方、うがい液排水のためには、同図に示すように、順勾配の排水配管が行えない場合、別途行ううがい液排水管２のために、特設する二重床の下部に順勾配排水配管を施工して、既設排水配管まで延長する配管を行う。
なお、液排出弁１ｃにはフロート弁の使用が一般的であり、排水分離器１とその運転制御操作は公知である。【０００３】  ここに歯科医院をテナント向け建物の貸室に開設する場合、診療室に転用する部屋は、居室や寝室またはオフィスに設定され、当初は給排水設備を設けない貸室に開設するので、排水配管敷設勾配が逆勾配であったり、治療ユニットに必要な新規排水配管が、扉配置個所を横切ることになり、あるいは隣室など別室に排水分離器を配置できない機械室を借り出せない場合がある。こうしたケースでは、二重床改造の他に、新設床高に応じた扉廻りの改造を行うので、改造によって出来る凹凸床面は、当然、治療者の歩行障害になる。
人が集まる地理的条件の良いテナント向け建物内に、歯科診療室の新設を計っても、排水問題により開設出来なかったり、改造費用が過大で困難になる例がある。また無理な排水配管によって、患者にとってのバリアフリー環境が作れないという欠点があった。【０００４】  前記問題解決の参考例に、崖下家屋から出る生活排水を崖上の既設下水道へ排水する解決策として、家屋と同地盤内に汚水枡を設け、家から順勾配でその桝まで導水し、枡に溜めた排水を崖上へポンプアップする排水装置（特許文献１）や、家屋内の浴槽から浴槽外設置ポンプにより槽内湯水を吸い出して、外へ排水する提案（特許文献２）等がある。
これら従来技術を適用して、汚水枡の代わりに排水分離器１を用い、この中にポンプを内設し、制御器に連動して排水を行うポンプアップ方式が考えられる。しかし、後述するように、歯科用の治療ユニットが排出する二系統の排水設備や、扱う気液混在排液の同時処理、かつ頻繁に少量の排液の供給と停止が繰り返されて貯留する排水分離器の扱い、貯留量と排水貯留時間の不安定性に対応して、それにマッチするポンプ選定は困難である。またポンプ作動時と治療ユニット作動時とが重複する場合に、治療器操作に支障をきたす。さらに排水分離器にポンプを内設する場合、治療ユニットとは機械的接続状態にあり、ポンプ作動音が治療ユニットから洩れ、患者の治療環境に悪影響が出るなどの問題がある。【０００５】  ところで歯科の治療ユニットが断続的に発生する排液量は、１人１回当たり平均０．４〜０．６リットルの排液量、１時間２〜３人の患者を診療した場合、１日８時間で合計約１０リットル（特許文献３）、貸室診療室に使われる標準大きさの排水分離器（２２０ψ×３００Ｈ、槽底設置高約２８０、排液流入ＶＰ管２５φ）の容量は約３．５リットル、２５ψＶＰ管は内容積が管長１ｍ当たり約０．９リットルになる。従って排水発生元の排液発生状態に応じて排水分離器に貯留され、そこにポンプを内設して稼働させると、ポンプ動作は、極めて短時間運転して排出終了し、その稼働は頻繁なＯＮ−ＯＦＦを繰り返し、その際のポンプ発生衝撃は、バキュームエア消費時の騒音とともに治療ユニットに対し悪影響がでる。この状態を行わないで済むような内設可能の汎用のポンプはない。
【特許文献１】特許第３４５２６４１号公報
【特許文献２】実開平０５−８１３７２号公報
【特許文献３】特開２００２−１９２１５７号公報
【考案の開示】
【考案が解決しようとする課題】
【０００６】  解決しようとする問題点は、うがい液と治療排液の排水処理が別途に行われる点であり、分離器から以降に排水する際に、強制排出用にポンプを別設する場合、ポンプ作動が起こす副次的発生障害が、治療ユニットまで伝達して治療や患者に悪影響を及ぼす点であり、排水分離器を機械室設備のある診療室外に設置しなければならない点であり、他方では排水の逆勾配条件下での排水配管を付設するに当たって、改造床を作ることによって患者利用の床に凹凸が生じて床のバリアフリー化ができない点である。
【課題を解決するための手段】
【０００７】  本考案は、排水分離器と機械的に接続しないポンプを、新設する排水タンク内に設置して、うがい液と共に治療排液を、排水分離器を介して排水タンクへ配管の不連続状にて案内し、その後、ポンプアップ操作により一括して強制排水したことを最も主要な特徴とする。
【考案の効果】
【０００８】  本考案は、排水分離器の排水と排水停止の制御操作と、一方、排水タンクのポンプ作動制御とはそれぞれ独立しているので、一方の操作が他方の動作を阻害することはない。
また治療ユニットに接続する排水分離器と排水タンクを隔離して配設し、稼働する排水ポンプを水中に設置したので、ポンプの作動音も衝撃も治療ユニット系に全く伝わらない。
そして排水タンクから既設排水管への排水をポンプアップ排水し、その排水配管のポンプ吐出側導水排水管にフレキシブルチューブを含む曲部形成配管材を用いてい。従って、扉の上框上部までの立ち上げ配管が簡便にでき、その上框部配管ルートを乗り越えさせる排水操作をポンプ吐出圧により容易にでき、床下に配管代を設ける床面改造の必要性がない。
【考案を実施するための最良の形態】
【０００９】  逆勾配配管を余儀なくされる診療室の排水装置を設ける際に、床面のバリアフリー化を実施するという目的を、排水分離器と、ポンプ内設の排水タンクとを切り離して構成したことにより実現した。
【実施例】
【００１０】  図１は、本考案装置の１実施例を示す概要図であって、１〜３および７、８は、図２と同様である。２は治療排液を移送する排水管に接続するうがい液排水管、４は、タンク内液位計４ａが設定上位液位Ｌ１を検知すると制御器４ｂが作動して水中ポンプ５（以下、ポンプという）をＯＮ作動し、同設定下位液位Ｌ２を検知すると、該制御器の作動によってポンプ５をＯＦＦ作動させ、貯留、排水の交互制御操作を繰り返す排水タンクであって、その貯留排水は、排水分離器１下部に垂設する排水吐出管９の、束縛自由状態の開放端から受ける。６は、排水処理ルート上の障害物３０を上方に迂回配管するフレキシブルチューブを含む曲部形成配管材を用いた導水排水管であって、ポンプ５と敷設排水管７とを配管接続して、既設排水管３に排水するものである。
ここに、図示するのは迂回配管を大きく行う極端な例であって、設置するポンプ５は、扉の上框を越える障害ルートのない通常例の多くは、逆勾配抵抗は少なく、水頭抵抗が２００ｍｍ以下なら実用仕様を満たし、浴室用湯水汲み出し用のポンプで差し支えない。
なお１Ａは、該敷設排水管が順勾配で配管できる順勾配排水区域、１Ｂは、順勾配排水不能区域であって、かつ本発明装置によって排水工事が実施できる区域である。【００１１】  このように排水分離器１に排水吐出管９を、排水タンク４の液面上方の中空空間に設けたので、該排水吐出管は貯液充満時には封水と液排出弁１ｃによって閉じられ、その開放時には、排水タンクに移送された貯液がポンプ５を水封するので、排水タンク４が発生させる作動状態を、治療ユニット８へ伝達してしまう事例は全く起こらず、従って排水分離器１内で行われる動作は、独立的に操作、制御され、従って治療ユニットへ、ポンプ５が与える影響は皆無となる。そして排水タンク４の大きさは、ポンプ５による強制排水により排水分離器１の大きさに合わせて形状を変えらて小型に出来、かつ振動、騒音などの副次的弊害が生じないので、診療室内に設置できる。
【産業上の利用可能性】
【００１２】  本考案装置を、一見、逆勾配の排水配管を布設せざるを得ないので、目的の業務を行えないと部屋の使用を諦めるような、空圧、加圧水洗浄など多様な媒体を駆使する技術の展示場や特設実験場向けに応用できるものであり、あるいは少量排水形の給排水設備や臨時排水配管装置としても、転用ないし適用できる。
【図面の簡単な説明】
【００１３】
【図１】本考案の、診療室のバリアフリー化排水配管装置の基本概念を説明し、その全体を示す概要図である（実施例１）。
【図２】従来技術を説明するもので、その全体を示す概要図である。
【符号の説明】
【００１４】  １            排水分離器
２            うがい液排水管
３            既設排水管
４            排水タンク
５            ポンプ
６            曲部形成配管材を用いた導水排水管（フレキシブルチューブを含む）
７            敷設（または固定）排水管
８            治療ユニット（歯科用チェアユニット）
９            排水吐出管
１０            バリアフリー化排水配管装置
３０            障害物
【図１】
0003121663.tif 000003
【図２】
0003121663.tif 000004